(57)【要約】【課題】表示パネルが異常となった場合、適切な形態で画像を表示パネルに表示すること。【解決手段】本表示装置は、画像を表示する表示パネル１０と、表示パネル異常時における表示可能領域を検出する表示可能領域検出手段と、表示可能領域検出手段により検出された表示可能領域に応じて異常時表示画像を生成する異常時表示画像生成手段と、異常時表示画像生成手段により生成された異常時表示画像を表示可能領域に表示する異常時表示制御手段とを備える。【選択図】図２
2010176030.tif 000002
【特許請求の範囲】
【請求項１】
画像を表示する表示パネルと、
前記表示パネル異常時における表示可能領域を検出する表示可能領域検出手段と、
前記表示可能領域検出手段により検出された表示可能領域に応じて異常時表示画像を生成する異常時表示画像生成手段と、
前記異常時表示画像生成手段により生成された異常時表示画像を表示可能領域に表示する異常時表示制御手段とを備えたことを特徴とする表示装置。
【請求項２】
前記異常時表示画像生成手段は、異常時表示画像として、正常時に表示する正常時画像を前記表示可能領域に応じた大きさに縮小した縮小画像を生成することを特徴とする請求項１記載の表示装置。
【請求項３】
前記異常時表示画像生成手段は、異常時表示画像として、正常時に表示する正常時画像を前記表示可能領域に応じて切り出した切出画像を生成することを特徴とする請求項１記載の表示装置。
【請求項４】
正常時に表示する正常時画像が複数の画像要素から形成され、
前記異常時表示画像生成手段は、異常時表示画像として、正常時に表示する正常時画像から前記表示可能領域に応じて選択した画像要素に基づき選択画像を形成することを特徴とする請求項１記載の表示装置。
【請求項５】
正常時に表示する正常時画像が複数の画像要素から形成され、
前記異常時表示画像生成手段は、異常時表示画像として、前記画像要素に基づき表示可能領域に応じた加工画像要素を形成し、
前記異常時表示制御手段は、前記加工画像要素を順次切り替えて表示可能領域に表示することを特徴とする請求項１記載の表示装置。
【請求項６】
前記異常時表示画像生成手段は、正常時に表示する画像に対応する置換画像を異常時表示画像として生成することを特徴とする請求項１記載の表示装置。
【請求項７】
表示可能領域が複数検出された場合、
前記異常時表示画像生成手段は、異常時表示画像として、面積の広い表示可能領域に応じて異常時表示画像を生成し、
前記異常時表示制御手段は、面積の広い表示可能領域に前記異常時表示画像を表示することを特徴とする請求項１記載の表示装置。
【請求項８】
前記表示パネルはタッチパネルを含み、
前記異常時表示画像生成手段は、異常時表示画像として、正常時に表示する正常時画像に含まれるタッチパネル操作画像を除去した操作部除去画像を形成することを特徴とする請求項１記載の表示装置。
【請求項９】
前記異常時表示画像の表示領域以外の領域について、単色の画像を表示する制御を行う単色画像表示手段を有することを特徴とする請求項１〜８のいずれかに記載の表示装置。
【請求項１０】
画像を表示する表示パネルの表示制御を行う表示制御装置において、
表示パネル異常時における表示可能領域を検出する表示可能領域検出手段と、
前記表示可能領域検出手段により検出された表示可能領域に応じて異常時表示画像を生成する異常時表示画像生成手段と、
前記異常時表示画像生成手段により生成された異常時表示画像を表示可能領域に表示する異常時表示制御手段とを備えたことを特徴とする表示制御装置。
【発明の詳細な説明】
【技術分野】
【０００１】
本発明は、表示装置および表示制御装置に関し、特に、表示パネルが異常の場合、表示パネルに表示する画像を制御する表示装置に関する。
【背景技術】
【０００２】
表示装置は、表示パネルを有し、表示パネルに１または複数の画像を表示する。例えば、車両用表示装置においては、表示パネルに例えばカーナビゲーションの地図やカーナビゲーションを操作するための画像等を表示する。また、車載のオーディオ装置の状態を示す情報や操作するための画像、ＤＶＤ（Digital Video Disc）等の記憶媒体の映像の画像を表示する。また、表示装置は、カーナビゲーションの画面のように１つの情報を表示することもあるが、カーナビゲーションの画像とオーディオ装置の画像とのように複数の画像を表示することもある（特許文献１）。
【先行技術文献】
【特許文献】
【０００３】
【特許文献１】特開２００８−３０６４１１号公報
【発明の概要】
【発明が解決しようとする課題】
【０００４】
しかしながら、表示パネルが故障すると、表示すべき画像が表示できない。このため、表示すべき画像や情報が表示できなくなるという課題がある。本発明は、上記課題に鑑みなされたものであり、表示パネルが異常となった場合、適切な形態で画像を表示パネルに表示することを目的とする。
【課題を解決するための手段】
【０００５】
本発明は、画像を表示する表示パネルと、前記表示パネル異常時における表示可能領域を検出する表示可能領域検出手段と、前記表示可能領域検出手段により検出された表示可能領域に応じて異常時表示画像を生成する異常時表示画像生成手段と、前記異常時表示画像生成手段により生成された異常時表示画像を表示可能領域に表示する異常時表示制御手段とを備えたことを特徴とする表示装置である。
【０００６】
また、本発明は、画像を表示する表示パネルの表示制御を行う表示制御装置において、表示パネル異常時における表示可能領域を検出する表示可能領域検出手段と、前記表示可能領域検出手段により検出された表示可能領域に応じて異常時表示画像を生成する異常時表示画像生成手段と、前記異常時表示画像生成手段により生成された異常時表示画像を表示可能領域に表示する異常時表示制御手段とを備えたことを特徴とする表示制御装置である。
【発明の効果】
【０００７】
本発明によれば、表示パネルの一部が異常となった場合も、適切な形態で画像を表示パネルに表示することができる。
【図面の簡単な説明】
【０００８】
【図１】図１は、実施例１に係る表示装置のブロック図である。
【図２】図２は、画像制御部付近のブロック図である。
【図３】図３は、車両への表示装置の装着例である。
【図４】図４は、実施例１の制御部の処理を示すフローチャートである。
【図５】図５（ａ）から図５（ｃ）は、実施例１の表示パネルの画面を示す図（その１）である。
【図６】図６（ａ）から図６（ｄ）は、実施例１の表示パネルの画面を示す図（その２）である。
【図７】図７（ａ）から図７（ｄ）は、実施例１の表示パネルの画面を示す図（その３）である。
【図８】図８（ａ）から図８（ｃ）は、実施例１の表示パネルの画面を示す図（その４）である。
【図９】図９は、実施例２の制御部の処理を示すフローチャート（その１）である。
【図１０】図１０は、実施例２の制御部の処理を示すフローチャート（その２）である。
【図１１】図１１（ａ）から図１１（ｃ）は、実施例２の表示パネルの画面を示す図（その１）である。
【図１２】図１２（ａ）および図１２（ｂ）は、実施例２の表示パネルの画面を示す図（その２）である。
【図１３】図１３（ａ）および図１３（ｂ）は、実施例２の表示パネルの画面を示す図（その３）である。
【図１４】図１４（ａ）および図１４（ｂ）は、実施例２の表示パネルの画面を示す図（その４）である。
【図１５】図１５は、実施例２の表示パネルの画面を示す図（その５）である。
【図１６】図１６（ａ）および図１６（ｂ）は、実施例２の表示パネルの画面を示す図（その６）である。
【図１７】図１７は、優先順位のテーブルの例である。
【図１８】図１８は、分割パターンのテーブルの例である。
【図１９】図１９（ａ）から図１９（ｂ）は、表示パネルの画面の例を示す図である。
【図２０】図２０は、実施例３の表示パネルを示すブロック図である。
【図２１】図２１は、実施例３の表示パネル周辺のブロック図である。
【図２２】図２２は、実施例３において表示領域が故障する前のドットクロック、ソーススタート信号およびソースデータのタイミングチャートである。
【図２３】図２３は、表示領域が故障した場合の表示パネル周辺のブロック図である。
【図２４】図２４は、実施例３において表示領域が故障した場合のドットクロック、ソーススタート信号およびソースデータのタイミングチャートである。
【発明を実施するための形態】
【０００９】
以下に、図面を用い実施例について説明する。
【実施例１】
【００１０】
実施例１は、カーナビゲーション画像等に加えスピードメータ等の車両制御用画像を表示する車載用表示装置の例である。図１は実施例１に係る車載表示装置の概略を示すブロック図である。いわゆるAudio Visual Navigation 複合機への適用例である。図１中、１０４は表示部、２００は制御部、２０１はＣＤ（Compact Disk）／ＭＤ（Mini Disk）再生部、２０２はラジオ受信部、２０３はＴＶ受信部、２０４はＤＶＤ再生、２０５はＨＤ（Hard Disk）再生部、２０６はナビゲーション部、２０は画像制御部、２１０は音声調整回路、２１１は画像出力部、２１２はＶＩＣＳ（Vehicle Information and Communication System）情報受信部、２１３はＧＰＳ（Global Positioning System）情報受信部、２１４はアンテナを選択するセレクタ、２１５は操作部、２１６はリモコン２１７からの情報を送受信するリモコン送受信部、２１８はメモリ、２１９は外部音声／映像入力部、２２０はカメラ、２２１は明るさ検知手段、２２２は乗員検知手段、２２３はリア表示部、２２４はＥＴＣ（Electronic Toll Collection）車載器、２２５は通信ユニットである。なお、多くの製品例では画像出力部２１１と表示部１０４とがユニット化され表示パネルが構成されており、本実施例もその構成例としている。
【００１１】
表示部１０４は、タッチパネル１０３、液晶パネル１０２及びバックライト１０１から構成される。表示部１０４には、液晶パネル１０２以外のマトリクス駆動のフラットパネルディスレイ、例えば有機ＥＬディスプレイパネル、プラズマディスプレイパネル、冷陰極フラットパネルディスプレイ等も用いることもできる。
【００１２】
各種ソース（ＣＤ／ＭＤ再生部２０１、ラジオ受信部２０２、ＴＶ受信部２０３、ＤＶＤ再生部２０４、ＨＤ再生部２０５及びナビゲーション部２０６）からの画像は、画像制御部２０で画像合成処理、画像拡縮処理、輝度や色調、コントラストなどの調整処理が施され、処理・調整された各画像が画像出力部２１１を介して、表示部１０４に表示される。また音声調整回路２１０では各スピーカ１１６への分配や音量、音声が調整され、調整された音声が、スピーカ１１６から出力される。
【００１３】
制御部２００は、ユーザ操作に基づく操作信号、各装置および車両からの指示信号（車両信号）、車速やエンジン回転数、各種警告等の各種信号等を入力し、それら信号に基づいて各部の動作制御、例えば画像処理内容の設定等の処理を行う。また、画像制御部２０には、表示部１０４から表示部１０４の異常を知らせる情報が入力される。
【００１４】
メモリ２１８は不揮発性メモリと揮発性メモリにより構成され、不揮発性メモリには後述の各種処理を行うためのデータ、例えば優先度決定のためのデータ、故障表示用の画像データ、音声制御用のデータ、画像処理用の各種パラメータ等が記憶され、揮発性メモリは各種演算処理等で使用される。なお、画像制御部２０が使用する画像処理用の各種プログラム、データについては、画像制御部２０内のメモリに記憶しておく方法（不揮発性メモリを利用）、メモリ２１８のデータを直接利用する方法、起動時にメモリ２１８のデータを画像制御部２０内のメモリ（揮発性）に転送して使用する方法、およびこれらの併用が可能である。
【００１５】
図２は図１の画像制御部２０周辺のブロック図である。図２のように、表示装置１００は、表示パネル１０および制御部２０等を備えている。制御部２０は、図２の画像制御部２０であり、故障検知回路２２、描画制御部２４および描画管理部２４を有している。制御部２０には、車両内のＥＣＵ（Electronic Control Unit）３０、ナビゲーション装置３２、カメラ３４、テレビジョン受信機３６および外部映像入力部３８が接続されている。
【００１６】
ナビゲーション装置３２は、図１のナビゲーション部２０６に対応し、ＧＰＳ情報受信部２１３が受信した車両の位置情報等に基づき車両を目的地に案内するための地図画像、目的地周辺等の情報に関する画像、カーナビゲーション装置３２を制御するための入力を行う画像等の信号を制御部２０に出力する。カメラ３４は、図１のカメラ２２０に対応し、車両の後方等の画像の信号を制御部２０に出力する。テレビジョン受信機３６は、図１のＴＶ受信部２０３に対応し、デジタル放送やアナログ放送を受信し、画像の信号を制御部２０に出力する。外部映像入力部３８は、図１のＤＶＤ再生部２０４やＨＤ再生部２０５に対応し、ＤＶＤやブルーレイ等の記憶媒体の再生装置等が接続され、その画像信号を入力する入力回路であり、接続された外部機器の画像信号を制御部２０に出力する。ＥＣＵ３０は、自動車におけるエンジン当の駆動系やエアコン等の艤装系の制御を行う電子ユニットであり、車速に関する情報、車両内の異常に関する情報、エアーコンデショナに関する情報、オーディオに関する情報等の車両に関する情報を制御部２０に出力する。
【００１７】
制御部２０において、表示パネル１０が正常な場合（故障していない場合）、描画管理部２６は各種装置３２〜３８からの画像信号を用い、画像の合成、拡張縮小、重ね合わせ等を行い、表示パネル１０に画像信号を出力する。故障検知回路２２は表示パネル１０の表示状態信号をモニターし、表示パネル１０の故障等の異常を検知する。故障検知回路２２が表示パネル１０の故障を検知すると、故障検知回路２２は、表示異常検知信号を描画制御部２４に出力する。描画制御部２４は、表示異常検知信号およびＥＣＵ３０からの信号に基づき、表示パネル１０の故障の範囲を認識する。さらに、描画制御部２４は、各装置３２から３８から入力された画像の組み合わせ、配置等を制御し、描画管理部２６に制御信号を出力する。また、各装置３２から３８に出力する画像信号の内容を変更を指示する。制御部２０の制御の詳細については後述する。
【００１８】
図３は、表示装置１００の車両内での装着位置を示す図である。表示装置１００は、カーナビゲーション画像等に加えスピードメータ等の車両制御用画像を表示するため、ダッシュボード１９２から運転席１９０にかけて配置される。スピードメータ等の車両制御用画像を表示しない場合、ダッシュボード１９２のみに配置されてもよい。表示装置１００の装着位置は、ユーザが視認できる位置であれば、上記に限定されない。例えば、表示装置１００はサンバイザー付近に装着されてもよい。
【００１９】
図４は、制御部２０の描画制御部２４の処理を示すフローチャートである。図５（ａ）から図５（ｃ）は、表示パネル１０の画面を示している。図５（ａ）は、表示パネル１０が故障する前の画像（すなわち、表示パネル１０が正常時に表示する正常時画像）を示している。表示パネル１０に画像５０および５２が表示されている。このように、正常時画像は、複数の画像要素から形成されている。画像要素とは、例えばナビゲーション画面、オーディオの画面、スピードメータの画面等、１つの意味を持った単位の画像である。
【００２０】
図４を参照し、描画制御部２４は、故障検知回路２２の表示異常検知信号およびＥＣＵ３０からの信号に基づき、表示パネル１０の故障か（すなわち異常時か）を判断する（ステップＳ１０）。Ｎｏの場合、終了する。Ｙｅｓの場合、描画制御部２４のうち表示可能領域検出手段は、表示可能領域を検出する（ステップＳ１２）。例えば、図５（ｂ）において、描画制御部２４は、表示パネル１０の故障領域６４を認識し、領域６０および６２が表示可能領域と判断する。次に、表示している画像５０、５２を優先度の高い画像順に並び替える（ステップＳ１４）。例えば、描画制御部２４は、表示が義務化されている画像やユーザの好みの画像は優先順位が高いと判断する。図５（ａ）では、画像５０が優先度が高いとする。ここで、優先度については、ユーザが設定できるものとしてもよい。
【００２１】
次に、描画制御部２４は、領域６０に画像５０が詳細に表示可能か判断する（ステップＳ１６）。Ｙｅｓの場合、図５（ｃ）のように、描画制御部２４は、描画管理部２６に、画像５０を領域６０に表示させる（ステップＳ１８）。描画制御部２４は、最後の画像か判断する（ステップＳ３０）。Ｎｏの場合、次の画像５２とし（ステップＳ３２）、ステップＳ１６に戻る。ステップＳ１６において、例えば画像５２は領域６２に詳細表示不可である。描画制御部２４は、画像５２が簡易表示可能か判断する（ステップＳ２０）。Ｙｅｓの場合、図５（ｃ）のように、描画制御部２４は、描画管理部２６に、画像５２の簡易化した画像５２ａを領域６２に表示させる。ステップＳ２０においてＮｏの場合、描画制御部２４は、描画管理部２６に、画像５２を表示させない（ステップＳ２４）。または、表示不可能を外部に通知する。次に、描画制御部２４は、最後の領域かを判断する（ステップＳ２６）。Ｎｏの場合、次の領域とし（ステップＳ２８）、ステップＳ１６に戻る。Ｙｅｓの場合、ステップＳ３０に進む。次に、ステップＳ３０において、Ｙｅｓの場合、終了する。
【００２２】
このように、描画制御部２４のうち異常時表示画像生成手段は、表示可能領域検出手段により検出された表示可能領域に応じて異常時表示画像（異常状態で表示される画像、すなわち表示パネル１０が異常な状態のとき表示させる画像、図５（ｃ）の画像５０および５２ａ）を生成する。描画制御部２４のうち異常時表示制御手段は、異常時表示画像生成手段により生成された異常時表示画像を表示可能領域に表示する。これにより、表示パネル１０の一部に異常をきたしても、適切な形態で画像を表示パネル１０に表示することができる
【００２３】
図６（ａ）から図６（ｄ）は、表示パネル１０が表示する画像の別の例である。図６（ａ）は、故障前の画像（すなわち正常時画像）を示している。画像５６はナビゲーション装置の地図を示す画像である。このように、正常時画像は、複数の画像要素から形成されている。画像５８は、スピードメータの画像である。図６（ｂ）のように、表示パネル１０の左の領域６４が故障し表示不可能となっている。画像の優先順位としては、車両の速度である車速の表示は法令で義務付けられているため、画像５８の優先順が高い。
【００２４】
そこで、図６（ｂ）のように、描画制御部２４は優先順位の高い画像５８は変更せず表示し、画像５６を縮小させた画像５６ａを表示することができる。また、図６（ｃ）のように、描画制御部２４は、複数の画像のうち優先順位の高い画像５８と優先順位の低い画像５６の縮小率を異ならせ、画像５６ｂおよび５８ｂを表示することができる。この際、優先順位の高い画像の縮小率を小さくする（または拡大する）ことが好ましい。さらに、図６（ｄ）のように、描画制御部２４は、デジタル表示のように簡易表示可能な車速を簡易表示した画像５８ｃと、画像５６を残りの領域に合うように処理した画像５６ｃと、を表示することができる。
【００２５】
図７（ａ）から図７（ｄ）は、表示パネル１０が表示する画像のさらに別の例である。図７（ａ）は、故障前の画像（正常時画像）を示している。画像７０はテレビジョンの画像、画像７２はナビゲーション装置の地図を示す画像、画像７４は、スピードメータの画像である。このように、正常時画像は、複数の画像要素から形成されている。図７（ｂ）のように、表示パネル１０の左の領域６４が故障し表示不可能となっている。画像の優先順位としては、車速の画像７４は最も優先順が高い。テレビジョンの画像７０は最も優先順位が低い。
【００２６】
そこで、図７（ｂ）のように、描画制御部２４は優先順位の低い画像７０を表示せず、簡易表示可能な画像７４は簡易画像７４ａを表示し、残りの領域に画像７２を合わせた画像７２ａを表示することができる。また、図７（ｃ）のように、描画制御部２４は、簡易表示可能な画像７４の簡易画像７４ｃを表示し、残りの領域に合うように、画像７０および７２をそれぞれ縮小した画像７０ｂおよび７２ｂを表示することができる。さらに、図７（ｄ）のように、描画制御部２４は、簡易表示可能な画像７２および７４のそれぞれの簡易画像７２ｃおよび７４ｃを表示し、残りの領域に画像７０の拡大画像７０ｃを表示することもできる。なお、画像７２ｃは交差点までの距離と交差点において進む方向を表示した画像である。
【００２７】
図８（ａ）から図８（ｃ）は、表示パネル１０が表示する画像のさらに別の例である。図８（ａ）は、故障前の画像（正常時画像）を示している。表示パネル１０には、画像７６から７８が表示されている。このように、正常時画像は、複数の画像要素から形成されている。図８（ｂ）のように、表示パネル１０の左の領域６４が故障し表示不可能となっている。画像の優先順位としては、画像７８が最も優先順が高い。画像７８を表示した残りの表示可能領域に画像７６を表示する。その後、図８（ｃ）のように、画像７６の代わりに画像７７を表示する。このように、優先度の低い画像を交互に表示してもよい。画像７６および７７を交互に表示する際は、画像７６および７７のうち優先順位の高い画像を表示する時間を優先順位の低い画像を表示する時間より長くすることができる。
【００２８】
予め定めた優先順位の代わりに画像の詳細度に基づき表示する時間を変更してもよい。例えば、詳細な画像を長く表示し、詳細でない画像は短い時間表示することができる。これにより、ユーザは視認するのに時間のかかる詳細な画像を認識することができる。図８（ｂ）および図８（ｃ）のように、一部の画像は表示したまま残りの画像を交互に表示してもよいが、全ての画像７６から７８を交互に表示することもできる。また、画像７６および７７をスクロールしてもよい。
【００２９】
以上のように、制御部２０は、表示パネル１０の故障を検出した場合、表示する画像の優先度、表示する画像を簡易的に表示可能か否か、および前記表示パネルの表示可能領域に関する情報の少なくとも１つに基づき、前記表示パネルに表示する画像を制御することができる。これにより、表示パネル１０の一部が故障しても重要な画像は表示することができる。実施例１のように、ナビゲーション画像と速度表示装置として用いる画像とを同一の表示パネル１０に表示する場合、速度表示装置として用いる画像は法令で表示が定められ重要な画像である。
【００３０】
表示の優先順位としては、例えば、法令で表示が定められた表示の画像、異常表示等の割り込み画像表示、ナビゲーションにおける交差点案内等ユーザの操作を誘導する画像、車両の状態を示す表示のうち状態が変化している状態を示す画像、車両の状態を示す表示のうち状態が変化してない状態を示す画像、ユーザが操作した結果を示す画像の順に優先順位を高くすることができる。法令で表示が定められた情報としては、車速の情報、方向指示器が点灯しているかを示す点灯情報、前部および後部霧灯の点灯情報、車幅灯および尾灯の点灯情報、前照灯の点灯情報、シートベルトの装着を確認するための情報、有毒ガスの発散防止装置の異常を示す情報、アンチロックブレーキ、フットブレーキおよびサイドブレーキ等の制動装置の異常を示す情報がある。
【００３１】
また、表示の優先度は、上記のような予め定められた優先順位以外にも、画像の内容により優先度を決定してもよい。例えば、画像の詳細度により優先度を決定してもよい。例えば、詳細な画像はより優先度が高いとしてもよい。また、例えば、画像に表示する項目数により優先度を決定してもよい。例えば、項目数の多い画像はより優先度が高いとしてもよい。
【００３２】
画像を簡易的に表示する方法は、例えば、メータ表示をグラフまたは数字で表示する方法、文字（テキスト）の表示方法を切り替える方法、または画像を回転させる方法としてもよい。文字の表示方法の切り替え方法としては、例えば、横書きと縦書きとを変更する方法、文字をイラスト表示する方法、文字を表示せず音声を出力する方法、がある。画像を回転させる方法は、例えば表示可能領域が横長の場合に画像が縦長であった場合、画像を９０°回転させる方法でもよい。表示パネル１０の表示可能領域に関する情報としては、例えば、表示可能領域の位置、面積または形状に関する情報である。
【００３３】
画像を標準的に表示する（簡易的に表示しない）か、簡易的に表示するかは、例えば、標準表示プログラム（サブルーチン）および標準表示データと、簡易表示プログラム（サブルーチン）および簡易表示データとが各要素画像毎に用意（記憶）されており、どちらの表示を行うかにより、選択されるようにしてもよい。
【００３４】
また、図６（ｂ）から図６（ｄ）および図７（ｂ）から図７（ｄ）のように、制御部２０は、表示パネル１０の故障を検出した場合、故障前に表示パネル１０に表示していた複数の画像の拡縮率を異ならせ前記表示パネルに表示することができる。これにより、重要な情報を表示する画像は小さくせず、重要でない画像を小さく表示することができる。
【００３５】
さらに、図６（ｄ）および図７（ｂ）から図７（ｄ）のように、制御部２０は、表示パネル１０の故障を検出した場合、故障前に表示パネル１０に表示していた複数の画像のうち少なくとも１つの画像が簡易的に表示可能な場合、表示パネル１０に少なくとも１つの画像を簡易的に表示することができる。すなわち、異常時表示画像生成手段は、正常時に表示する画像に対応する置換画像を異常時表示画像として生成する。これにより、表示パネル１０の故障により、画像の表示可能な領域が少なくなった場合も、重要な情報を表示することができる。
【００３６】
さらに、図７（ｂ）のように、制御部２０は、表示パネル１０の故障を検出した場合、故障前に表示パネル１０に表示していた複数の画像のうち少なくとも１つの画像を表示しないことができる。優先度が低い画像を表示しないことにより、重要な情報が表示されなくなることを抑制することができる。
【００３７】
さらに、図８（ｂ）および図８（ｃ）のように、制御部２０は、表示パネル１０の故障を検出した場合、故障前に表示パネルに表示していた複数の画像７６から７８のうち少なくとも２つの画像７６および７７を交互に表示することができる。すなわち、異常時表示画像生成手段は、異常時表示画像として、画像要素に基づき表示可能領域に応じた加工画像要素を形成する。異常時表示制御手段は、加工画像要素を順次切り替えて表示可能領域に表示する。これにより、表示パネル１０に多くの画像を表示することができる。
【００３８】
さらに、制御部２０は、少なくとも２つの画像７６および７７を表示する時間を異ならせることができる。これにより、重要な画像や詳細な画像はより長く表示することができる。
【００３９】
このように、制御部２０は、表示パネル１０の故障を検出した場合、故障前に表示パネル１０に表示していた複数の画像のうち少なくとも１つの画像を変更し表示パネル１０に表示することができる。すなわち、異常時表示画像生成手段は、異常時表示画像として、正常時に表示する正常時画像から表示可能領域に応じて選択した画像要素に基づき選択画像を形成する。これにより、複数の画像をより適切にユーザに視認させることができる。
【００４０】
また、このように、画像の制御として、画像のサイズを変更すること、複数の画像の少なくとも１つの表示時間を変更すること、複数の画像の表示する順番を変更すること、または複数の画像の少なくとも１つの表示頻度を変更することを行なうことができる。
【実施例２】
【００４１】
実施例２は、制御部２０の別の制御を示す図である。図９および図１０は制御部２０の描画制御部２４の処理を示すフローチャートである。図１１（ａ）から図１６（ｂ）は、表示パネル１０に表示されている画面を示している。故障前には、図１１（ａ）のように、表示パネル１０全体に画像８０が表示されている。ここで、画像８０は、１つの画像でもよいし、実施例１のような複数の画像でもよい。図９を参照し、ステップＳ１０およびＳ１２は図４と同じであり説明を省略する。ステップＳ１２の後、描画制御部２４は、故障領域（表示不可領域）が表示パネル１０の中央部かを判断する（ステップＳ４０）。ここで、中央部とは、中央部に故障が生じると、図１１（ｂ）のように、表示可能領域が少なくとも２箇所以上に分割されてしまう領域である。中央部は、表示パネル１０自体の中央（対角線の交点）を含む領域を意味するものではない。中央部は、あくまでも分割された表示可能領域を有効に利用するために規定したものである。Ｙｅｓの場合、描画制御部２４は、故障前に表示していた画像８０が分割可能か判断する（ステップＳ４２）。例えば、地図画像は分割可能であるが、テレビジョンや記憶媒体の画像、文字が分断される画像は分割不可である。また、画像８０が複数の独立の画像である場合、画像８０は分割可能である。Ｙｅｓの場合、描画制御部２４は、図１１（ｂ）のように、画像８０を分割した画像８０ａおよび８０ｂを表示可能領域６０および６２に表示する（ステップＳ４４）。このとき、画像８０ａおよび８０ｂは、表示可能領域６０および６２に対応するように画像８０を拡大または縮小した画像でもよい。その後終了する。
【００４２】
ステップＳ４２でＮｏの場合、図１１（ｃ）のように、描画制御部２４は、表示可能領域のうち大きい方の領域６０に画像８０を縮小した画像８０ｃを表示する（ステップＳ４６）。次に、表示可能領域のうち小さい方の領域６２に表示パネル１０が故障していることを示す情報を表示する（ステップＳ４８）。領域６２には、表示パネル１０の故障領域を示す情報等、故障の状態を示す情報を表示してもよい。その後終了する。
【００４３】
ステップＳ４０においてＮｏの場合、すなわち、故障領域６４が表示パネル１０の端部の場合、図１０を参照し、描画制御部２４は、故障領域６４がタッチパネルの入力のための領域かを判断する（ステップＳ５０）。Ｎｏの場合、描画制御部２４は、画像８０は縮小可能かを判断する（ステップＳ５４）。Ｙｅｓの場合、図１２（ａ）のように、画像８０を片軸方向に縮小した画像８０ｄを表示パネル１０に表示する（ステップＳ５６）。図１２（ｂ）のように、画像８０を、横軸および縦軸に対称に縮小した画像８０ｅを表示パネル１０に表示することもできる。
【００４４】
このように、画像の縮小処理としては、要素画像サイズと表示領域サイズの比率に応じた処理を行う。例えば、縦方向比率に応じて縦方向に圧縮し、横方向比率に応じて縦方向に圧縮することができる。映像の比率を変えたくない場合、圧縮率の大きい方に合わせて、画像が表示可能領域の中央位置となるように配置することもできる。このとき、圧縮処理により無画像となる部分は黒画とすることができる。圧縮方法としては、公知の方法、例えば間引処理や補完（フィルタ）処理の組み合わせ等を用いることができる。
【００４５】
ステップＳ５４において、Ｎｏの場合、描画制御部２４は、画像８０の一部を切り出し可能か判断する（ステップＳ５８）。Ｙｅｓの場合、図１３（ａ）のように故障前の画像８０のうち一部（図１３（ａ）の破線領域）を切り出し、図１３（ｂ）のように、拡大して表示パネル１０に表示する（ステップＳ６０）。図１４（ａ）のように、故障前の画像８０のうち一部（図１４（ａ）の破線領域）を切り出し、図１４（ｂ）のように、拡大縮小せず表示パネル１０に表示してもよい。画像８０のうち切り出す領域は重要な情報が含まれる領域であることが好ましい。例えば、ナビゲーションの地図画像の場合、画面の中心、自車位置、車両の進行方向の情報、ナビゲーションを操作するための操作部等は重要な情報が含まれる領域である。また、地図が北を上としているか（ノースＵＰ）または進行方向を上としているか（ヘディングＵＰ）により、切り出し領域を変えることもできる。例えば、車両の進行方向が含まれる領域は優先的に切り出すことができる。
【００４６】
ステップＳ５８において、Ｎｏの場合、描画制御部２４は、画像８０を表示しない（ステップＳ６２）。例えば、図１５のように、故障領域６４の面積が大きい場合、画像８０は表示せず、表示パネル１０が故障であることを示す故障情報を示す画像８４を表示する。その後、終了する。
【００４７】
ステップＳ５０において、Ｙｅｓの場合について説明する。図１６（ａ）は故障前の画面である。タッチパネルの入力のための操作部の画像８２が表示されている。一般的に、タッチパネルは、何らかの画像をユーザがタッチすることにより操作を受け付ける。このユーザがタッチする画像を操作部とする。図１６（ｂ）のように、画像８２が表示されていた領域が故障領域６４となっている。タッチパネルの操作部の画像８２を表示可能領域に表示してもタッチパネルの操作部として機能しない場合もありうる。そこで、描画制御部２４は、タッチパネルの操作部の画像８２を表示しない（ステップＳ５２）。その後終了する。なお、図１６（ａ）および図１６（ｂ）においては、操作部の画像８２が故障領域６４となっているが、故障領域６４は操作部の画像８２以外の領域でもよい。
【００４８】
タッチパネルの操作部の画像は、背景画像（例えば地図の画像）に別に生成した操作部の画像を重ねる処理を行い生成される（スーパーインポーズ処理）。そこで、ステップＳ５２においては、この重ね合わせる処理を中止すればよい。なお、タッチパネルの操作部の画像の表示の際は、タッチパネルの座標と操作部の画像とを関連付け、タッチパネルの入力座標に応じた操作を検出し、実行する処理を行うが、これらの処理も中止することが好ましい。
【００４９】
ステップＳ５２のように、操作部の画像８２を表示しない代わりに、画像８０の位置や大きさ等に応じて操作部の画像の位置を変更させてもよい。
【００５０】
図９のステップＳ４６において、図１０のステップＳ５０〜Ｓ６２のような処理を行ってもよい。すなわち、タッチパネルの操作部の非表示、画像の縮小や切り出しを行なってもよい。
【００５１】
実施例２によれば、図１１（ｂ）のように、制御部２０は、表示パネル１０の中央を横断する領域６４の故障を検出した場合、故障した領域により分割された複数の領域６０および６２に、故障前に表示パネル１０に表示していた画像８０を分割して表示することができる。これにより、地図等の分割表示可能な画像の縮小を最小限とすることができる。
【００５２】
また、図１１（ｃ）のように、制御部２０は、表示パネル１０の中央を横断する領域６４の故障を検出した場合、故障した領域により分割された複数の領域６０および６２の１つの領域６０に故障前に表示部に表示していた画像８０を表示することができる。すなわち、表示可能領域が複数形成された場合、異常時表示画像生成手段は、異常時表示画像として、面積の広い表示可能領域６０に応じて異常時表示画像を生成する。異常時表示制御手段は、面積の広い表示可能領域６０に異常時表示画像を表示する。これにより、分割すると認識が難しいテレビジョン画像や文字を分割することなく表示することができる。
【００５３】
さらに、図１１（ｃ）のように、制御部２０は、領域６０以外の表示可能領域６２に故障したことを示す情報を表示することができる。これにより、ユーザは表示パネル１０の故障を認識することができる。ここで、故障情報を表示してユーザに認識させる方法について説明したが、故障情報を例えば音声等の別の手段で通知してもよい。
【００５４】
さらに、図１０のステップＳ４２からＳ４６のように、制御部２０は、画像８０の種類に応じ、故障した領域６４により分割された複数の領域６２および６４に、画像を分割して表示するか、１つの領域６０に画像８０を表示するかを選択することができる。
【００５５】
さらに、図１２（ａ）のように、制御部２０は、表示パネル１０の故障を検出した場合、故障前に表示パネル１０に表示していた画像８０を縮小して表示することができる。すなわち、異常時表示画像生成手段は、異常時表示画像として、正常時に表示する正常時画像を表示可能領域に応じた大きさに縮小した縮小画像を生成する。これにより、画像８０を全て表示可能領域に表示することができる。
【００５６】
さらに、図１３（ｂ）および図１４（ｂ）のように、制御部２０は、表示パネル１０の故障を検出した場合、故障前に表示パネル１０に表示していた画像８０の一部のみを表示パネル１０の表示することができる。すなわち、異常時表示画像生成手段は、異常時表示画像として、正常時に表示する正常時画像を表示可能領域に応じて切り出した切出画像を生成する。これにより、画像８０のうち重要な領域はほとんど縮小せず表示することができる。
【００５７】
さらに、図１６（ｂ）のように、制御部２０は、表示パネル１０の故障を検出した場合、故障前に表示パネル１０に表示していたタッチパネル用操作部を表示しないこともできる。すなわち、異常時表示画像生成手段は、異常時表示画像として、正常時に表示する正常時画像に含まれるタッチパネル操作画像を除去した操作部除去画像を生成することもできる。
【００５８】
実施例１および２において、ユーザが操作する直前に制御部２０が画像を変更してしまうと、ユーザの意図に反した操作を行ってしまう場合がある。そこで、制御部２０は、表示パネル１０に表示する画像を変更した場合、一定期間、操作を禁止することができる。これにより、誤動作を抑制することができる。
【００５９】
図１７は、実施例１から２において、制御部２０が有する優先順位のテーブルの例である。図１７のように、制御部２０は、要素画像種別（画像要素の種別）に対応し、優先順位および表示時間のテーブルを有している。例えば、走行速度の優先順位が１であり、エンジン回転数の優先順位が２である。制御部２０は図１７のようなテーブルから、要素画像種別ごとの優先順位を判断する。また、制御部２０は図８（ｂ）および図８（ｃ）における要素画像種別ごとの画像の表示時間を判断する。
【００６０】
図１８は、実施例１から２において、制御部２０が有する分割パターンのテーブルの例である。図１９（ａ）から図１９（ｂ）は、表示パネル１０に表示されている画面を示している。白の領域は、表示パネル１０内の表示可能領域であり、画像を表示する領域を示している。黒の領域は、表示不可能領域を示している。ハッチングの領域は、表示可能領域であり例えば黒画面を表示する領域を示している。
【００６１】
図１８のように、表示可能領域の分割数と表示可能領域の面積によって、選択する分割パターンのテーブルを有している。例えば、表示可能領域の分割数が１の場合であり、最大の表示可能領域面積を有する表示可能領域１の面積がＡの範囲の場合、図１９（ａ）のように、制御部２０は、優先順位が１および２の画像を表示する。また、図１８のように、例えば、表示可能領域の分割数が１の場合であり、表示可能領域１の面積がＡの範囲より小さいＢの範囲の場合、図１９（ｂ）のように、制御部２０は、優先順位が１の画像のみを表示する。
【００６２】
図１８のように、例えば、表示可能領域の分割数が２の場合であり、表示可能領域１の面積がＡの範囲、かつ表示可能領域２の面積がＡＡの範囲の場合、図１９（ｃ）のように、制御部２０は、表示可能領域１に優先順位が１の画像を、表示可能領域２に優先順位が２の画像を表示する。また、図３のように、表示可能領域の分割数が２の場合であり、表示可能領域１の面積がＡの範囲、かつ表示可能領域２の面積がＡＡの範囲より小さいＢＢの範囲の場合、図１９（ｄ）のように、制御部２０は、表示可能領域１に優先順位が１の画像を表示し、表示可能領域２には黒画像を表示する。
【００６３】
図１８のように、例えば、表示可能領域の分割数が３の場合であり、表示可能領域１の面積がＡの範囲の場合、図１９（ｅ）のように、制御部２０は、表示可能領域１に優先順位が１の画像を表示し、表示可能領域２および３には黒画像を表示する。
【実施例３】
【００６４】
図２０は実施例３のＴＦＴ（Thin Film Transistor）液晶表示パネルの概略を示す回路図である。１１１は表示パネル駆動部、１１２はゲート線駆動回路（ゲート駆動部）、１１３はソース線駆動回路（ソース駆動部）、１１４はＴＦＴ素子、１１５〜１１８はソース線、１１９〜１２１はゲート線、１２２は画素電極、１２３はサブピクセルである。
【００６５】
図２０に示すように、サブピクセル１２３は各ソース線１１５〜１１８及び各ゲート線１１９〜１２１によって囲まれた領域を一単位とし、複数形成される。各サブピクセルには、液晶層に電圧を印加する画素電極１２２とそれをスイッチング制御するＴＦＴ素子１１４が形成されている。表示パネル駆動部１１１はゲート線駆動回路１１２及びデータ線駆動回路１１３の駆動タイミングを制御する。ゲート線駆動回路１１２はＴＦＴ素子１１４の選択走査を行い、またデータ線駆動回路１１３は画素電極１２２への印加電圧を制御する。
【００６６】
ソース線駆動回路１１３には、ドットクロック信号，ソースデータ，ソーススタート信号が入力されている。ドットクロック信号は、ＴＦＴ液晶表示パネルの表示動作におけるタイミング制御のための信号で、ＴＦＴ液晶表示パネルの各部分はこのドットクロック信号に同期して処理を進めることなる。ソースデータは、ソース線に印加する電圧は示す信号、つまり画素の輝度を示すデータである。また、ソーススタート信号は、ソースデータを取り込むタイミングを示す信号である。簡単に動作を説明すると、最初にソースデータはゲート線１１９とソース線１１５の交点の画素に対する輝度を示すデータとなる。このときにソーススタート信号はソース線１１５に対して与えられ（Ｈｉレベル）、その時のソースデータが当該画素の輝度データとして読み込まれ、当該画素電極への印加電圧の設定がなされる。次のドットクロック信号のタイミングで、ソースデータは次（右隣）のゲート線１１９とソース線１１６の交点の画素に対する輝度を示すデータとなる。またソーススタート信号は次のソース線１１６に対して与えられる（Ｈｉレベル）。
【００６７】
そして、その時のソースデータが当該画素の輝度データとして読み込まれ、当該画素電極への印加電圧の設定がなされる。つまり、ソースデータはドットクロック信号に同期して順次隣の画素に対する輝度データとなる。またソーススタート信号はドットクロック信号に同期して隣に移動することになって、該当する画素に対する印加電圧が順次設定されることになる。そして、１ゲートライン分の印加電圧が設定されると、各ソース線に設定電圧が印加されると共に、ゲートスタート信号がゲート線１１９に対して与えられ（Ｈｉレベル）、ゲート線１１９に対する各画素電極に設定電圧が印加され、各画素が画像に対応した輝度となる。このような動作が、各ゲートライン毎に順次行われ、全ゲートラインで処理が行われた時点で１画像が表示されることになる。
【００６８】
なお、ソース線駆動回路１１３は、バッファ回路、Ｄ／Ａ変換器、フリップフロップ，論理回路等により構成された公知の回路であり、ドットクロック信号に同期して上述のような動作を行う。また、ゲート線駆動回路１１２もソース線駆動回路１１３と同様の回路で、ソースデータに対応するデータが無い点と、ゲートスタート信号の移動（伝達）が、１水平同期期間間隔で行われるように構成されている点が、ソース線駆動回路１１３との主な相違点である。
【００６９】
図２１は、実施例３の故障していない場合の表示パネル１０周辺を示すブロック図である。図２１を参照し、表示パネル１０は複数の表示領域１２ａから１２ｃを有している。複数の駆動部１４ａから１４ｃは、図２０の表示パネル駆動部１１１に対応し、それぞれ複数の表示領域１２ａから１２ｃに画像を表示させる。制御部２０は、各駆動部１４ａから１４ｃにドットクロック信号ＤＣおよびソースデータＳＤおよびソーススタート信号ＳＳａからＳＳｃを出力する。駆動部１４ａおよび１４ｂは、リターン信号ＳＲａおよびＳＲｂを制御部２０に出力する。
【００７０】
図２２は、ドットクロック信号ＤＣ、ソーススタート信号ＳＳａ〜ＳＳｃおよびソースデータＳＤのタイミングを示す図である。図２２を参照し、１水平（ライン）期間は、１水平ライン分の信号が入力する期間に対応している。駆動部１４ａは、制御部２０からソーススタート信号ＳＳａが入力する（ハイとなる）とドットクロックＳＣに同期し表示領域１２ａにソースデータＳＤａに基づく表示を行なわせる。表示領域１２ａの１水平ライン分の表示が終了すると、駆動部１４ａは制御部２０にリターン信号ＳＲａを出力する。制御部２０は、リターン信号ＳＲａのタイミングで駆動部１４ｂにソーススタート信号ＳＳｂを出力する。駆動部１４ｂは、ソーススタート信号ＳＳｂが入力すると、ドットクロック信号ＤＣに同期し表示領域１２ｂにソースデータＳＤｂに基づく表示を行なわせる。表示領域１２ｂの１水平ライン分の表示が終了すると、駆動部１４ｂは制御部２０にリターン信号ＳＲｂを出力する。制御部２０は、リターン信号ＳＲｂのタイミングで駆動部１４ｃにソーススタート信号ＳＳｃを出力する。駆動部１４ｃは、ドットクロック信号ＤＣに同期し表示領域１２ｃにソースデータＳＤｃに基づく表示を行なわせる。
【００７１】
図２３は、表示領域１２ａが故障した状態を示している。図２４は、表示領域１２ａが故障した場合のドットクロック信号ＤＣ、ソーススタート信号ＳＳａ〜ＳＳｃおよびソースデータＳＤのタイミングを示す図である。制御部２０は、表示領域１２ａの故障を検知すると、駆動部１４ａにソーススタート信号ＳＳａを出力しない（ロー状態のままである）。また、制御部２０は表示領域１２ａに対応するソースデータＳＤａとして固定データを出力する。これにより、表示領域１２ａには黒や白等の単一色が表示される。すなわち、制御部２０のうち単色画像表示手段は、異常時表示画像の表示領域以外の領域について、単色の画像を表示する制御を行う。
【００７２】
制御部２０は、所定のタイミングで、ソーススタート信号ＳＳｂおよびＳＳｃを生成し、駆動部１４ｂおよび１４ｃに出力する。制御部２０は、表示領域１２ｂおよび１２ｃを表示可能領域として、実施例１または２のような制御を行い、ソースデータＳＤｂおよびＳＤｃを駆動部１４ｂおよび１４ｃに出力する。以上により、表示領域１２ａには画像は表示されず、表示領域１２ｂおよび１２ｃに画像を表示することができる。
【００７３】
実施例３のように、制御部２０は、複数の表示領域１２ａから１２ｃのうち１つの表示領域１２ａの故障を検出した場合、故障した表示領域１２ａ以外の表示領域１２ｂおよび１２ｃに表示する画像を制御する。このように、表示パネル１０の故障等の異常の検出を駆動部１４ａから１４ｃ単位で行い、表示可能領域を駆動部１４ａから１４ｂ単位で検出することにより、制御部２０は画像の制御をより簡単に行うことができる。
【００７４】
また、各駆動部１４ａから１４ｃに動作を開始させるトリガ信号であるソーススタート信号ＳＳａ〜ＳＳｃを制御部２０が生成する。これにより、表示領域１２ａ〜１２ｃのいずれかが故障しても、各表示領域１２ａ〜１２ｃが独立に画像を表示できる。ソーススタート信号ＳＳｂおよびＳＳｃは、表示領域１２ａおよび１２ｂが正常な場合は、駆動部１４ａおよび１４ｂが生成し、表示領域１２ａおよび１２ｂが故障の場合は、制御部２０内のクロックに基づき制御部２０が生成することができる。また、ソーススタート信号ＳＳｂおよびＳＳｃは、表示領域１２ａおよび１２ｂの正常または異常に関わらず、制御部２０が生成してもよい。
【００７５】
実施例１から実施例３は、車載用表示装置を例に説明したが、表示装置は、家庭用表示装置等の他の用途の表示装置でもよい。
【００７６】
以上、本発明の好ましい実施例について詳述したが、本発明は係る特定の実施例に限定されるものではなく、特許請求の範囲に記載された本発明の要旨の範囲内において、種々の変形・変更が可能である。
【符号の説明】
【００７７】
１０            表示パネル
１２ａ〜１２ｃ  表示領域
１４ａ〜１４ｃ  駆動部
５０〜５８、７０〜８０  画像
６０、６２      領域
６４            故障領域
【図１】
2010176030.tif 000003
【図２】
2010176030.tif 000004
【図３】
2010176030.tif 000005
【図４】
2010176030.tif 000006
【図５】
2010176030.tif 000007
【図６】
2010176030.tif 000008
【図７】
2010176030.tif 000009
【図８】
2010176030.tif 000010
【図９】
2010176030.tif 000011
【図１０】
2010176030.tif 000012
【図１１】
2010176030.tif 000013
【図１２】
2010176030.tif 000014
【図１３】
2010176030.tif 000015
【図１４】
2010176030.tif 000016
【図１５】
2010176030.tif 000017
【図１６】
2010176030.tif 000018
【図１７】
2010176030.tif 000019
【図１８】
2010176030.tif 000020
【図１９】
2010176030.tif 000021
【図２０】
2010176030.tif 000022
【図２１】
2010176030.tif 000023
【図２２】
2010176030.tif 000024
【図２３】
2010176030.tif 000025
【図２４】
2010176030.tif 000026